(57)【要約】【課題】うなりが発生する定格電流値付近の電流での使用を警告により知らせてうなりを防止する回路遮断器の電磁石装置を提供する。【解決手段】基板２ａと側板２ｂから成る略Ｌ字状の継鉄２と、継鉄２に固着されたオイルダッシュポット３と、オイルダッシュポット３の外周に捲回した電磁コイル８と、継鉄２の側板２ａの上端部近傍に吸引側１１ａがオイルダッシュポット３の上端の固定鉄片７に接触する水平姿勢と、固定鉄片７から離反した傾斜姿勢との間を起倒可能に枢着し、引き外し側１１ｂが開閉機構部１２を動作させる可動鉄片１１を備えた回路遮断器の電磁石装置１において、継鉄２の側板２ｂに二次コイル９を捲回し、電磁コイル８に電流が流れたときに二次コイル９に誘起される二次電圧を計測手段１０により計測し、二次電圧が所定の電圧の範囲となった場合に警告手段１５により警告する。【選択図】図１
2008305680.tif 000002
【特許請求の範囲】
【請求項１】
基板と側板から成る略Ｌ字状の継鉄と、該継鉄に固着されたオイルダッシュポットと、該オイルダッシュポットの外周に捲回した電磁コイルと、前記継鉄の側板の上端部近傍に吸引側が前記オイルダッシュポットの上端の固定鉄片に接触する水平姿勢と固定鉄片から離反した傾斜姿勢との間を起倒可能に枢着し、引き外し側が開閉機構部を動作させる可動鉄片を備えた回路遮断器の電磁石装置において、前記継鉄の側板に二次コイルを捲回し、前記電磁コイルに電流が流れたときに前記二次コイルに誘起される二次電圧を計測し、前記二次電圧が所定の電圧の範囲となった場合に警告手段により警告することを特徴とする回路遮断器の電磁石装置。
【発明の詳細な説明】
【技術分野】
【０００１】
本発明は、主回路に過大電流が流れたときに動作して主回路を遮断する回路遮断器の電磁石装置に関する。
【背景技術】
【０００２】
回路遮断器の電磁石装置は、基板と側板から成る略Ｌ字状の継鉄と、継鉄に固着されたオイルダッシュポットと、オイルダッシュポットの外周に捲回した電磁コイルと、継鉄の側板の上端部近傍に吸引側がオイルダッシュポットの上端の固定鉄片に接触する水平姿勢と固定鉄片から離反した傾斜姿勢との間を起倒可能に枢着し、引き外し側が開閉機構部を動作させる可動鉄片を備えて成り、電磁コイルに流れる電流によってオイルダッシュポットが励磁するようになっている。オイルダッシュポットはポット内にプランジャとコイルバネを挿入し、内部をオイルで充填して固定鉄片により蓋をしている。電磁コイルに電流が流れていない状態ではプランジャはコイルバネに付勢されて固定鉄片との距離が最大であり、電磁コイルに流れる電流が大きくなると磁束が大きくなり、プランジャがコイルバネの力に抗して固定鉄片側に吸引されて固定鉄片との距離が小さくなる。そして、プランジャが固定鉄片に吸着したとき磁束が最大となり、オイルダッシュポットの固定鉄片に可動鉄片が吸着されて回動し、可動鉄片の引き外し側が開閉機構部を動作させて遮断動作を行うようになっている（例えば、特許文献１参照。）。
【０００３】
【特許文献１】特開２００２−１７０４７６号公報
【発明の開示】
【発明が解決しようとする課題】
【０００４】
ところが、回路遮断器の電磁石装置は、電磁コイルに流れる電流が定格電流値付近で保たれると、プランジャが固定鉄片に近づいた状態となり、このとき、可動鉄片がオイルダッシュポットの固定鉄片に近づいたり離れたりしてうなりが発生するという問題があった。
【課題を解決するための手段】
【０００５】
本発明によれば、基板と側板から成る略Ｌ字状の継鉄と、継鉄に固着されたオイルダッシュポットと、オイルダッシュポットの外周に捲回した電磁コイルと、継鉄の側板の上端部近傍に吸引側がオイルダッシュポットの上端の固定鉄片に接触する水平姿勢と固定鉄片から離反した傾斜姿勢との間を起倒可能に枢着し、引き外し側が開閉機構部を動作させる可動鉄片を備えた回路遮断器の電磁石装置において、継鉄の側板に二次コイルを捲回し、電磁コイルに電流が流れたときに二次コイルに誘起される二次電圧を計測し、二次電圧が所定の電圧の範囲となった場合に警告手段により警告することを特徴とする。
【発明の効果】
【０００６】
本発明によれば、うなりが発生する定格電流値付近の電流での使用を警告により知らせてうなりを防止することができるという効果がある。
【発明を実施するための最良の形態】
【０００７】
基板と側板から成る略Ｌ字状の継鉄と、継鉄に固着されたオイルダッシュポットと、オイルダッシュポットの外周に捲回した電磁コイルと、継鉄の側板の上端部近傍に吸引側がオイルダッシュポットの上端の固定鉄片に接触する水平姿勢と固定鉄片から離反した傾斜姿勢との間を起倒可能に枢着し、引き外し側が開閉機構部を動作させる可動鉄片を備えた回路遮断器の電磁石装置において、継鉄の側板に二次コイルを捲回し、電磁コイルに電流が流れたときに二次コイルに誘起される二次電圧を計測し、二次電圧が所定の電圧の範囲となった場合に警告手段により警告する。
【実施例１】
【０００８】
本発明に係る回路遮断器の電磁石装置の実施例１を図１及び図２の添付図面に基づいて説明する。
【０００９】
回路遮断器の電磁石装置１は、基板２ａと側板２ｂから成る略Ｌ字状に継鉄２が形成され、継鉄２の基板２ａにオイルダッシュポット３が貫通してハンダ付け等により固着されている。
【００１０】
オイルダッシュポット３はポット４内に磁性体のプランジャ５と、コイルバネ６が収容され、内部にオイルを充填して固定鉄片７により施蓋している。
【００１１】
オイルダッシュポット３の外周には主回路に接続された電磁コイル８が捲回されている。また、継鉄２の側板２ｂには二次コイル９が捲回され、二次コイル９は電圧を計測する計測手段１０が接続されている。
【００１２】
継鉄２の側板２ｂの上端近傍には、吸引側１１ａがオイルダッシュポット３の上端の固定鉄片７に接触する水平姿勢と、固定鉄片７から離反した傾斜姿勢との間を起倒可能にし、引き外し側１１ｂが開閉機構部１２を動作させる可動鉄片１１が枢着されている。
【００１３】
可動鉄片１１はバネ１３の一端が係止され、バネ１３の他端が継鉄２の側板２ｂに係止されてバネ１３の力により吸引側１１ａが固定鉄片７から離反した傾斜姿勢に保持されている。
【００１４】
回路遮断器は負荷が使用されて電磁コイル８に電流が流れると磁束が発生し、オイルダッシュポット４のプランジャ５がコイルバネ６の力に抗して固定鉄片７に近づき、プランジャ５が固定鉄片７に吸着されたときに磁束が最大となり、オイルダッシュポット３の固定鉄片７に可動鉄片１１の吸引側１１ａが吸着して回動し、可動鉄片１１の引き外し側１１ｂが開閉機構部１２を動作させて主回路を遮断するようになっている。
【００１５】
また、電磁コイル８に電流が流れたとき、二次コイル９には二次電圧が誘起され、計測手段１０は二次コイル９に誘起された二次電圧を計測している。二次電圧値は電磁コイル８に流れる電流と比例し、プランジャ５が固定鉄片７に近づいた状態で可動鉄片１１がオイルダッシュポット３の固定鉄片７に近づいたり離れたりすることでうなりが発生する定格電流付近に対応する二次電圧の範囲を設定し、計測された二次電圧がこの所定の電圧の範囲となったことを制御手段１４が判定して、制御手段１４の制御によりＬＥＤの点灯や警告音などの警告手段１５から警告するようになっている。
【００１６】
警告手段１４により警告がされたときには負荷の使用量を減らして使用電力を小さくすることにより、うなりの発生を防止することができる。
【図面の簡単な説明】
【００１７】
【図１】本発明の実施例１に係る回路遮断器の電磁石装置を示す正面図である。
【図２】本発明の実施例１に係る回路遮断器の電磁石装置を示す平面図である。
【符号の説明】
【００１８】
１    電磁石装置
２    継鉄
２ａ    基板
２ｂ    側板
３    オイルダッシュポット
４    ポット
５    プランジャ
６    コイルバネ
７    固定鉄片
８    電磁コイル
９    二次コイル
１０    計測手段
１１    可動鉄片
１１ａ    吸引側
１１ｂ    引き外し側
１２    開閉機構部
１３    バネ
１４    制御手段
１５    警告手段
【図１】
2008305680.tif 000003
【図２】
2008305680.tif 000004